(57)【特許請求の範囲】
【請求項１】
誤り訂正処理の情報が付加された受信データ列のフレーム処理を行うためのフレーム同期方法であって、
入力される前記受信データ列に対してビット単位の処理でフレーム同期パターンを検出し連続する所定の複数フレームにわたって前記フレーム同期パターンを検出した場合は移行処理に遷移する同期獲得処理と、
前記受信データ列の前記フレーム同期パターンが連続して検出されるか、または復号化処理によって前記誤り訂正処理の情報が連続して検出されなければ同期保持処理に遷移し、前記フレーム同期パターンが連続して検出されなくなり前記誤り訂正処理の情報が検出された場合は同期消失として前記同期獲得処理に遷移する移行処理と、
予め定めたフレーム長単位の中で前記フレーム同期パターンが検出されずに前記誤り訂正処理の情報が検出されたフレームは同期エラーの発生したフレームとし、そのフレーム数が一定数以上ある場合は同期消失として前記同期獲得処理に遷移する同期保持処理と、
からなることを特徴とするフレーム同期方法。
【請求項２】
前記移行処理において、前記フレーム同期パターンが検出されたが前記誤り訂正処理の情報が検出された場合、または前記誤り訂正処理の情報が検出されず前記フレーム同期パターンが検出されなかった場合は、それぞれ予め定めたフレーム数に達すると同期消失として前記同期獲得処理に遷移することを特徴とする請求項１に記載のフレーム同期方法。
【請求項３】
前記同期保持処理において、前記受信データ列の受信レベルに応じて予め定めたフレーム長単位を変化させることを特徴とする請求項１に記載のフレーム同期方法。
【請求項４】
前記同期保持処理において、前記フレーム同期パターンが検出されず前記誤り訂正処理の情報が検出されないフレームは、同期エラーの発生したフレームとして処理しないことを特徴とする請求項１に記載のフレーム同期方法。
【請求項５】
制御局装置と、前記制御局装置に接続され複数の通信チャネルを有する中継局装置と、複数の移動局装置とからなるディジタル無線通信システムの前記移動局装置であって、
前記移動局装置は入力される受信データ列のフレーム同期検出処理を同期獲得処理、移行処理および同期保持処理に分けて実行し、
前記同期獲得処理では入力される受信データ列に対してビット単位の処理でフレーム同期パターンを検出し連続する所定の複数フレームにわたって前記フレーム同期パターンを検出した場合は移行処理に遷移し、
前記移行処理では前記受信データ列の前記フレーム同期パターンが連続して検出されるかまたは復号化処理によって誤り訂正処理の情報が連続して検出されなければ同期保持処理に遷移し、前記フレーム同期パターンが連続して検出されなくなり前記誤り訂正処理の情報が検出された場合は同期消失として前記同期獲得処理に遷移し、
前記同期保持処理では予め定めたフレーム長単位の中で前記フレーム同期パターンが検出されずに前記誤り訂正処理の情報が検出されたフレームは同期エラーの発生したフレームとし、そのフレーム数が一定数以上ある場合は同期消失として前記同期獲得処理に遷移することを特徴とする移動局装置。
【請求項６】
制御局装置と、前記制御局装置に接続され複数の通信チャネルを有する中継局装置と、複数の移動局装置とからなるディジタル無線通信システムの前記中継局装置であって、
前記中継局装置は入力される受信データ列のフレーム同期検出処理を同期獲得処理、移行処理および同期保持処理に分けて実行し、
前記同期獲得処理では入力される受信データ列に対してビット単位の処理でフレーム同期パターンを検出し連続する所定の複数フレームにわたって前記フレーム同期パターンを検出した場合は移行処理に遷移し、
前記移行処理では前記受信データ列の前記フレーム同期パターンが連続して検出されるかまたは復号化処理によって誤り訂正処理の情報が連続して検出されなければ同期保持処理に遷移し、前記フレーム同期パターンが連続して検出されなくなり前記誤り訂正処理の情報が検出された場合は同期消失として前記同期獲得処理に遷移し、
前記同期保持処理では予め定めたフレーム長単位の中で前記フレーム同期パターンが検出されずに前記誤り訂正処理の情報が検出されたフレームは同期エラーの発生したフレームとし、そのフレーム数が一定数以上ある場合は同期消失として前記同期獲得処理に遷移することを特徴とする中継局装置。
【発明の詳細な説明】
【０００１】
【発明の属する技術分野】
本発明は、例えば官公庁で使用される自営無線や、ＰＤＣ（パーソナル・ディジタル・セルラー）方式に代表される公衆無線などに適用されるディジタル無線通信システムのフレーム同期方法並びにこのフレーム同期方法を用いた移動局装置及び中継局装置に関するものである。
【０００２】
【従来の技術】
従来、移動無線のような伝送誤りが想定されるディジタル無線通信システムにおいては、音声符号化方式と誤り訂正技術の組み合わせや、インターリーブを行い、回線品質の変動に対応していた。
【０００３】
このことは、無線回線であるため情報量に制約があり、再送方式を取ることは難しいことにも起因する。また、情報源圧縮の音声や画像符号化方式も低ビットレート化を競いあってきた。
【０００４】
低ビットレート音声符号化方式で代表的なＣＥＬＰ系符号化方式は、ブロック（フレーム）単位の処理になるため、処理開始のフレーム先頭を示すフレーム同期もまた重要な技術である。復調方式からのビット同期を含めたアプローチもあるが、同期ビット列そのものを検出するアプローチもあり、本発明は後者に属している。
【０００５】
従来のアプローチの１つとして、特開平５−２１９０４７号公報（発明の名称「同期用符号検出回路」）に記載されているように、同期パターンそのものに冗長ビットを付加し、この誤り訂正結果を用いて同期判定を行う方法がある。
【０００６】
また、特開平１０−１５０４３９号公報（発明の名称「フレーム同期回路および通信システム」）では、同期パターンに限定せず、受信データ列の全部または一部に冗長ビットを付加し、この誤り訂正結果を用いて同期判定を行う方法がある。この際に用いられる復調データは軟判定で重み付けされている。
【０００７】
次に、図１１に示すブロック図を参照しながら従来のフレーム同期判定回路について説明する。なお、入力データ列に同期パターンが含まれているか否かは別として、このデータ列には冗長符号が付加されているものとする。
【０００８】
まず、ブロック変換回路５１により各訂正符号ブロック単位のデータが尤度演算回路５２に並列に入力される。尤度演算された後、重み付け回路５３と加算素子５４との組み合わせ結果により判定回路５５で判定され、同期検出ＯＫかを示す制御信号が発生される。このように、回路によって実施される同期検出は、入力されたビット信号毎の逐次処理で行われる。
【０００９】
また、特公平６−６６７７６号公報（発明の名称「フレーム同期回路」）にあるように、記録媒体からの再生復調回路を想定した同期パターンと誤り検査信号の正誤の組み合わせにより、同期判定を行う方法もある。いずれの発明もハードウェアによる実施形態を想定しているため、入力ビット単位での連続的な演算が要求される。
【００１０】
【発明が解決しようとする課題】
従来例としてあげた特開平１０−１５０４３９号公報の課題にも述べられているように、同期パターンの誤検出を避けるために同期パターンを長くすると、本来の送るべき情報量への割り当てが減るという課題があった。
【００１１】
これに対し、同期パターンを短くすると、誤同期を避けるために前方保護や後方保護の段数を長くするため、同期確立や同期消失から抜け出る時間が長くなるという課題があった。
【００１２】
前述した従来例は、これらの課題を解決する手段を提供するものであるが、ハードウェアでの実施形態を想定しているため、同期パターンを含んで軟判定情報を使用する場合も何ビットかを並列に閾値と判定するなど、ソフトウェアでの実現はかなり高速性が要求されるという課題があった。
【００１３】
本発明は、このような従来の課題を解決するためになされたもので、誤り訂正符号が用いられている、例えば音声データや画像データなどの受信データ列を利用することで、冗長度を増加することなく、さらにはこれらのデータが一般的にＤＳＰ（ディジタル信号処理プロセッサ）で実用化されている点に鑑み、パラメータを可変したり不要な回路を必要とせずに、ソフトウェア処理で実現可能なフレーム同期方法並びにこのフレーム同期方法を用いた移動局装置及び中継局装置を提供するものである。
【００１４】
【課題を解決するための手段】
本発明のフレーム同期方法は、誤り訂正処理の情報が付加された受信データ列のフレーム処理を行うためのフレーム同期方法であって、入力される受信データ列に対してビット単位の処理でフレーム同期パターンを検出し連続する所定の複数フレームにわたってフレーム同期パターンを検出した場合は移行処理に遷移する同期獲得処理と、受信データ列のフレーム同期パターンが連続して検出されるかまたは復号化処理によって誤り訂正処理の情報が連続して検出されなければ同期保持処理に遷移し、フレーム同期パターンが連続して検出されなくなり誤り訂正処理の情報が検出された場合は同期消失として同期獲得処理に遷移する移行処理と、予め定めたフレーム長単位の中でフレーム同期パターンが検出されずに誤り訂正処理の情報が検出されたフレームは同期エラーの発生したフレームとし、そのフレーム数が一定数以上ある場合は同期消失として同期獲得処理に遷移する同期保持処理とからなるものである。
【００１５】
この方法により、同期獲得処理では硬判定でのビット単位の処理で同期候補検索を早く行い、移行処理では復号化処理を開始して誤り訂正処理の情報を利用した同期判定を行い、ただし前方保護は行わずに誤同期か同期獲得かを判定することで誤同期からの再同期獲得を早くし、同期保持処理では予め定めたフレーム長単位の段数に渡り想定される位置に同期パターンが検出されない状態を待ってから同期消失と判断する前方保護を行い、その際の判定情報として誤り訂正処理の情報を利用するので、受信データ列にさらなる冗長符号を付加することなく誤同期の際の再捕捉を迅速に実行できることとなる。
【００１６】
また、本発明のフレーム同期方法における移行処理において、フレーム同期パターンが検出されたが誤り訂正処理の情報が検出された場合、または誤り訂正処理の情報が検出されずフレーム同期パターンが検出されなかった場合は、それぞれ予め定めたフレーム数に達すると同期消失として同期獲得処理に遷移するものである。
【００１７】
この方法により、誤同期か同期獲得かを判定する移行処理を設けることで誤同期からの再同期獲得を早くし、また同期獲得時の音声の話頭切断を極力短くするためのメモリを最小限に押さえることとなる。
【００１８】
また、本発明のフレーム同期方法における同期保持処理において、受信データ列の受信レベルに応じて予め定めたフレーム長単位を変化させるものである。
【００１９】
この方法により、受信データ列の受信レベルを同期判定に利用し、受信レベルが低いときには前方保護段数を増やし、受信レベルが高いときには前方保護段数を減らすこととなる。
【００２０】
また、本発明のフレーム同期方法における同期保持処理において、フレーム同期パターンが検出されず誤り訂正処理の情報が検出されないフレームは、同期エラーの発生したフレームとして処理しないものである。
【００２１】
この方法により、想定される位置に同期パターンが検出できない場合でも、フレームエラーにならなければ同期パターンを検出できなくても同期エラーと計数しないことにより、復号化処理での誤り訂正可能なフレームの検出を妨げないこととなる。
【００２２】
本発明の移動局装置は、制御局装置と、制御局装置に接続され複数の通信チャネルを有する中継局装置と、複数の移動局装置とからなるディジタル無線通信システムの移動局装置であって、移動局装置は入力される受信データ列のフレーム同期検出処理を同期獲得処理、移行処理および同期保持処理に分けて実行し、同期獲得処理では入力される受信データ列に対してビット単位の処理でフレーム同期パターンを検出し連続する所定の複数フレームにわたってフレーム同期パターンを検出した場合は移行処理に遷移し、移行処理では受信データ列のフレーム同期パターンが連続して検出されるかまたは復号化処理によって誤り訂正処理の情報が連続して検出されなければ同期保持処理に遷移し、フレーム同期パターンが連続して検出されなくなり誤り訂正処理の情報が検出された場合は同期消失として同期獲得処理に遷移し、同期保持処理では予め定めたフレーム長単位の中でフレーム同期パターンが検出されずに誤り訂正処理の情報が検出されたフレームは同期エラーの発生したフレームとし、そのフレーム数が一定数以上ある場合は同期消失として同期獲得処理に遷移するものである。
【００２３】
この構成によると、フレーム同期検出機能を新たな回路を付加することなく、従来から使用しているディジタル信号処理プロセッサ（ＤＳＰ）のソフトウェアで実現できることとなる。
【００２４】
本発明の中継局装置は、制御局装置と、制御局装置に接続され複数の通信チャネルを有する中継局装置と、複数の移動局装置とからなるディジタル無線通信システムの中継局装置であって、中継局装置は入力される受信データ列のフレーム同期検出処理を同期獲得処理、移行処理および同期保持処理に分けて実行し、同期獲得処理では入力される受信データ列に対してビット単位の処理でフレーム同期パターンを検出し連続する所定の複数フレームにわたってフレーム同期パターンを検出した場合は移行処理に遷移し、移行処理では受信データ列のフレーム同期パターンが連続して検出されるかまたは復号化処理によって誤り訂正処理の情報が連続して検出されなければ同期保持処理に遷移し、フレーム同期パターンが連続して検出されなくなり誤り訂正処理の情報が検出された場合は同期消失として同期獲得処理に遷移し、同期保持処理では予め定めたフレーム長単位の中でフレーム同期パターンが検出されずに誤り訂正処理の情報が検出されたフレームは同期エラーの発生したフレームとし、そのフレーム数が一定数以上ある場合は同期消失として同期獲得処理に遷移するものである。
【００２５】
この構成によると、フレーム同期検出機能を新たな回路を付加することなく、従来から使用しているディジタル信号処理プロセッサ（ＤＳＰ）のソフトウェアで実現できることとなる。
【００２６】
【発明の実施の形態】
以下、本発明の実施の形態について、図１から図１０を参照して説明する。
【００２７】
図１は、本発明によるフレーム同期方法を用いたＤＳＰの機能ブロック図であり、復調部１とＤＳＰ２とを示している。ＤＳＰ２はフレーム同期検出／チャネルコーデック部３と軟判定データ処理部４とからなり、軟判定データ処理部４は誤り訂正／検出部５および音声コーデック処理部６を有している。なお、復調部１は誤り訂正／検出部５に含めてもよい。
【００２８】
ここで軟判定とは、受信データ列を何ビットかで量子化し、さらに受信レベルの情報も加えたうえで復号化処理に渡し、確率の高い方で判定する方法である。これに対し、硬判定は復調された受信データ列を「１」か「０」かのどちらかで判定し処理する方法である。
【００２９】
復調部１からＤＳＰ２に送られる軟判定情報を含む受信データ列は、π／４シフトＱＰＳＫの変調方式を例に取り、１シンボル当り２ビットの尤度情報と受信レベルを示す包絡線情報とが入ってくるものとする。
【００３０】
まず、フレーム同期検出／チャネルコーデック部３において、受信データ列を「１」か「０」かで判定する硬判定によりビット毎（フレーム先頭とシンボル点との関係が決められていればシンボル単位毎）に同期検出を行う。ビット単位の一致判定は全ビット一致でも、ｎ／ｍ（ｎ≦ｍ）ビット一致でもかまわない。
【００３１】
フレーム同期が獲得でき、フレーム同期検出／チャネルコーデック部３において音声通話チャネルであることが検出された時点で、チャネル情報により軟判定データ処理が開始される。電話系通信のように一定のシーケンスを経て通話を開始するシステムであれば問題はないが、プレストークの移動無線機間の通話であると、話頭切断が問題になる。
【００３２】
そこで、フレーム同期検出／チャネルコーデック部３と軟判定データ処理部４とで受信データ列をＲＡＭ等のメモリで共有し、後方保護段数分のデータを記憶しておき、同期獲得時点で候補フレーム先頭から音声復号すれば、遅延にはなるが話頭切断は少くなる。音声処理開始後は誤り訂正／検出部５からの情報をもらい、同期検出処理を続行する。なお、チャネルが音声であれば、フレーム同期検出／チャネルコーデック部３から復号データは出力されないか、ＳＡＣＣＨをそのまま出力するはずである。
【００３３】
図２は、本発明によるフレーム同期方法の実施の形態を示す遷移図で、フレーム同期検出に関する処理を３段階に分け、同期候補が見つかるまでを同期獲得処理１１とし、硬判定で早く候補位置を見つけることを目的としている。後方保護段数は全ビット一致なら２フレーム程度に設定しておき、同期候補検索を早くする。同期候補が検出されたら、移行処理１２へ遷移する。
【００３４】
移行処理１２では、音声復号化処理を開始するため、音声復号化処理に伴う誤り訂正（検出）情報を利用する。つまり、同期パターンそのものの一致検出は、あくまで硬判定で処理負荷を重くしないこととする。また、この状態では、前方保護はかけないこととする。
【００３５】
例えば、続けて次フレームの候補位置に同期パターンを検出できれば、同期保持処理１３に遷移する。逆に、２フレーム連続で候補位置に同期パターンを検出できなければ、再び同期獲得処理１１に遷移し、音声処理も停止する。このように移行処理１２を設けることで同期候補の妥当性を検証する。
【００３６】
同期保持処理１３では、前方保護をかけるが、その際の判定には音声復号処理に伴う誤り訂正（検出）情報を利用する。なお、フレーム数の値は一例であり、フィールドテスト等で状況に応じて設定すればよい。
【００３７】
次に、図３および図４は、本発明によるフレーム同期方法を示すフローチャートで示したものである。
【００３８】
まず、検出フレーム履歴をクリアし（ステップＳ１）、受信データ列から１ビット読み込む（ステップＳ２）。この１ビットの読み込みを同期パターンを検出するまで繰り返す（ステップＳ３）。同期パターンを検出すると、検出フレーム履歴を更新し（ステップＳ４）、検出フレームが所定数（Ｍ１）連続しているか判定する（ステップＳ５）。
【００３９】
連続していなければステップＳ２の処理に戻り、連続していればフレームバッファから受信データ列を読み込む（ステップＳ６）。そして、１ビットずつ読み込みながら復号化処理を行い（ステップＳ７〜Ｓ８）。１フレーム分読み込むと（ステップＳ９）、同期パターンを検出したか判定する（ステップＳ１０）。
【００４０】
同期パターンを検出した場合、または同期パターンを検出しなかったが誤りがなかった場合（ステップＳ１１）は、検出フレーム履歴を更新する（ステップＳ１２）。そして、検出フレームが所定数（Ｍ２）連続していれば（ステップＳ１３）、フレームバッファから受信データ列を読み込む（ステップＳ１４）。
【００４１】
同期パターンを検出せずに誤りがあった場合（ステップＳ１１）は、誤りフレームが所定数（Ｍ３）連続していれば（ステップＳ１５）、ステップＳ１の処理に戻り、そうでなければステップＳ６の処理に戻る。また、ステップＳ１３で検出フレームが所定数（Ｍ２）連続していない場合もステップＳ６に戻る。
【００４２】
なお、ステップＳ２からステップＳ５までが同期獲得処理１１であり、ステップＳ６からステップＳ１０までが移行処理１２であり、ステップＳ１４から後述するステップＳ１９までが同期保持処理１３である。
【００４３】
同期保持処理１３では、前述したステップＳ１４においてフレームバッファから受信データ列を読み込むと、１ビットずつ読み込みながら復号化処理を行い（ステップＳ１６〜Ｓ１７）、１フレーム分読み込むと（ステップＳ１８）、同期パターンを検出したか判定する（ステップＳ１９）。
【００４４】
同期パターンを検出した場合、または同期パターンを検出しなかったが誤りがなかった場合（ステップＳ２０）は、検出フレーム履歴を更新する（ステップＳ２１）。
【００４５】
検出フレーム履歴の更新後、または同期パターンを検出せずに誤りがあった場合（ステップＳ２０）は、検出フレームが所定数（Ｍ）連続しているか判断し（ステップＳ２２）、連続していればステップＳ１４以降の処理を繰り返し、連続していなければステップＳ１以降の処理を繰り返す。
【００４６】
次に、図５は同期獲得処理１１を時間軸上で示す説明図である。この例はマルチフレーム同期パターンを持つ場合を示しており、マルチフレームの何番目かがＣＸ−Ｙ（Ｘ番目の候補で第Ｙフレーム目）のＹで示される。また、後方保護段数を３とし、その段数の中での一致フレーム数も３とした例である。
【００４７】
時間軸で入力される受信データ列に対し、ビット毎に同期パターンの一致を確認する。一致したら、図中でサーチ方向とあるように、１フレーム長前に遡って同期パターンの検出を行う。図にあるように、仮に１番目の候補でＣ１−０が見つかった場合は、当然１フレーム前に遡ってもまだ受信データがないので、この時点では適合する同期パターンが検出されず、この時点で後方保護段数分遡っての検出は行わない。
【００４８】
さらに、ビットが入力される毎に、同期パターンの一致を確認していき、Ｃ２−０が見つかったとする。ここで、２番目の候補という意味は、Ｃ１−０とＣ２−０との間が１フレーム離れていないところで同期パターンを検出するか、またはちょうど１フレーム離れていてもマルチフレームの順序に合っていない候補とする。
【００４９】
Ｃ２−０が見つかると、Ｃ１−０と同様に１フレーム長前に遡って同期パターンの検出をする。さらに、ビット入力毎の同期検出で、Ｃ１−１が見つかったとする。ここでは、１フレーム前にＣ１−０が見つかるはずである。１フレーム前に適合する同期パターンが見つかったら、後方保護段数分の２フレーム前に適合する同期パターンが検出されるか見る。
【００５０】
図から分かるように、まだ受信データがないので、この時点では適合する同期パターンが検出されず、さらにビット入力毎の候補検出を続行する。以降、この動作を繰り返すと、Ｃ１−２の最終ビットが受信された時点で３フレーム一致となり、移行処理１２へ遷移する。
【００５１】
図６は、移行処理１２の説明図である。ここでは、斜線で示したように、同期パターンがフレームの先頭に配置されている例である。同期パターンが硬判定で全ビット一致ならば「○」、その他は「×」で表示している。
【００５２】
また、音声処理から受理するＣＲＣ（巡回冗長検査）エラーの誤り訂正処理の情報を利用した例として、「ＣＲＣ  ＯＫ」、「ＣＲＣ  ＮＧ」をフレーム単位で表示している。
【００５３】
図（ａ）に示すように、移行処理１２に遷移しても、続けて２フレーム同期パターンが検出できず、しかも誤り訂正処理の情報が検出されたフレームエラーなら、再捕捉のために同期獲得処理１１へ遷移する。逆に、図（ｂ）に示すように、続けて２フレーム同期が検出され、フレームエラーも検出されなければ、同期保持処理１３へ遷移する。
【００５４】
また、図（ｃ）に示すように、移行処理１２へ遷移した次のフレームで、フレームエラーではないが、同期が検出されない場合は、もう１フレーム待ち、続けて２フレームＯＫなら、同期保持処理１３へ遷移する。この状態での同期検出は候補位置に適当なパターンが全ビット一致で検出されるかどうかで判定しているが、いずれにしても処理単位はフレーム長になる。
【００５５】
図７は、同期保持処理１３の説明図である。図６と同様に、フレームの先頭に同期パターンが配置されている例とした。予め定められたフレーム長単位の段数Ｍに渡り、想定される位置に同期パターンが検出されない状態を待ってから同期消失と判断する、いわゆる前方保護を行う。この段数長のうち何フレームがフレームエラーで、かつ同期パターンを検出できないという同期エラーとなったかで同期消失と判断するか予め決めておく。
【００５６】
図７でいうと、「◎」が同期ＯＫ、「＊」が同期エラーを示していて、「◎」の数をカウントした結果である各ウィンドウＷ１〜Ｗ５でのＮ１〜Ｎ５の値で判定する。例えば、各ウィンドウ内の総フレーム数Ｍは固定とし、Ｎ／Ｍが２／６となったら同期消失とすれば、ウィンドウＷ５のＮ５／Ｍの状態で同期消失と判定し、同期獲得処理１１に遷移し、再捕捉する。このように、同期保持処理１３においてもフレーム毎に処理し、過去フレームの同期エラーの結果のみ記憶すればよく、処理負荷をあげることはない。
【００５７】
図８は、同期保持処理１３の他の説明図である。同図において、フレーム毎の同期エラーの結果である「◎」や「＊」、ウィンドウ内の総フレーム数Ｍに対する「◎」の数をカウントした結果であるＮ６〜Ｎ１５の標記方法は、図７と同様である。
【００５８】
例えば、包絡線情報から読み取れる包絡線受信レベルＲ（ｔ）の時間変化が、Ｎ６／Ｍ１で示したウィンドウＷ６内の平均受信レベルがある一定値以上である場合には、フレーム数Ｍ１とし、ある一定値未満になったら、ウィンドウのフレーム数をＭ２に延ばす。
【００５９】
例えば、図７と同様に、通常はＮ＝２、Ｍ１＝６とし、レベルが下がったら、Ｍ２＝７にする。この方法により、Ｍが固定であると、ウィンドウＷ１１は同期消失と判定されるが、ウィンドウを長くすることで、同期消失と判定されなくなり、音声通信が継続されることになる。なお、この例では、図７で説明した方法との組み合わせでの動作例を示したものである。
【００６０】
図９は、ディジタル移動通信システムの構成例を示すもので、制御局装置２１につながる中継局装置２２のゾーン内で通信する移動局装置２３、２４を示している。なお、中継局装置２２は移動局装置２３、２４毎に別々に設けてもよい。また、移動局装置２３、２４間の直接通信であっても本発明のフレーム同期方法は作用する。
【００６１】
図１０は、移動局装置２３および中継局装置２４のブロック図を示し、無線部４１、変復調部４２、ＤＳＰ４３、オーディオ部４４を備え、さらにＤＳＰ４３を制御するＣＰＵ４６および表示／操作部４７、各部にタイミング信号を送るタイミング発生部４７を備えている。
【００６２】
同図における変復調部４２が図１の復調部１に相当し、ＤＳＰ４３が図１のＤＳＰ２に相当する。また、段数やフレーム数のパラメータを外部設定方法として、ＣＰＵ４５からＤＳＰ４３への通信機能を利用して初期設定する実施形態も考えられる。
【００６３】
なお、以上の実施形態は装置化での総合的な効果を考え、ＤＳＰによるソフトウェアでの実施形態で示したが、もちろん汎用マイクロプロセッサによるソフトウェアでの実施形態や、ディジタル回路でのハードウェアの実施形態でも、本発明のフレーム同期方法としての作用は得られる。
【００６４】
また、前述の実施形態では、基本機能でもあり、伝送路誤りに対する対策として音声符号に誤り訂正符号が付加されていることが一般的なので、音声通信を例に説明したが、誤り訂正情報を付加した画像符号化情報等の情報源圧縮符号化方式全般に本発明は適用可能である。
【００６５】
【発明の効果】
以上のように本発明によれば、誤り訂正処理の情報が付加された受信データ列のフレーム同期検出処理を、同期獲得処理、移行処理、同期保持処理の３段階に分け、復号化処理の誤り訂正処理の情報を利用することによって、受信データ列に更なる冗長符号を付加することなく、誤同期の際の再捕捉を迅速に実行でき、誤りの多い回線状況でも音声等の通話を可能な限り保持できるフレーム同期検出方法が得られる。
【００６６】
また、本発明のフレーム同期検出方法をディジタル無線通信システムの移動局装置や中継局装置に適用した場合は、ビット毎の処理、フレーム区間内での処理に分けることで、音声等の処理と同一のＤＳＰでの処理が可能となる。
【図面の簡単な説明】
【図１】本発明によるフレーム同期方法を用いたＤＳＰの機能ブロック図
【図２】本発明によるフレーム同期方法の実施形態を示す遷移図
【図３】本発明によるフレーム同期方法を示すフローチャート図（その１）
【図４】本発明によるフレーム同期方法を示すフローチャート図（その２）
【図５】同期獲得処理の実施形態を示す説明図
【図６】移行処理の実施形態を示す説明図
【図７】同期獲得処理の実施形態を示す説明図
【図８】同期獲得処理の他の実施形態を示す説明図
【図９】ディジタル無線通信システムの構成図
【図１０】中継局装置または移動局装置のブロック図
【図１１】従来のフレーム同期判定回路のブロック図
【符号の説明】
１  復調部
２  ＤＳＰ（ディジタル信号処理プロセッサ）
３  フレーム同期検出／チャンネルコーデック部
４  軟判定データ処理部
５  誤り訂正／検出部
６  音声コーデック処理部
１１  同期獲得処理
１２  移行処理
１３  同期保持処理
Ｗ１〜Ｗ１５  ウィンドウ
２１  制御局装置
２２  中継局装置
２３〜２４  移動局装置
４１  無線部
４２  変復調部
４３  ＤＳＰ
４４  オーディオ部
４５  ＣＰＵ
４６  表示／操作部
４７  タイミング発生部
【図１】
0004338850.tif 000002
【図２】
0004338850.tif 000003
【図３】
0004338850.tif 000004
【図４】
0004338850.tif 000005
【図５】
0004338850.tif 000006
【図６】
0004338850.tif 000007
【図７】
0004338850.tif 000008
【図８】
0004338850.tif 000009
【図９】
0004338850.tif 000010
【図１０】
0004338850.tif 000011
【図１１】
0004338850.tif 000012